(57)【特許請求の範囲】
【請求項１】
ユーザ機器(UE)による新無線(NR)ワイヤレス通信のための方法であって、
基地局にアップリンク通信を送信するためのアップリンクチャネルのためのアップリンクチャネルラスタを判定するステップと、
前記アップリンクチャネルを介したアップリンク送信を、前記アップリンクチャネルラスタに対してシフトすると判定するステップと、
前記シフトされたアップリンク送信を送信するステップであって、前記シフトされたアップリンク送信がレガシーアップリンクチャネルとアライメントする、ステップと
を含む、方法。
【請求項２】
前記アップリンク送信は、前記アップリンクチャネルラスタに関して、周波数が、7.5キロヘルツ(kHz)だけシフトされる、請求項1に記載の方法。
【請求項３】
前記基地局からダウンリンク通信を受信するためのダウンリンクチャネルのためのダウンリンクチャネルラスタを判定するステップをさらに含み、
前記アップリンクチャネルラスタは、前記ダウンリンクチャネルラスタとは異なる値である、請求項1に記載の方法。
【請求項４】
前記アップリンクチャネルラスタを判定するステップは、ダウンリンクチャネルラスタについて判定された可能な周波数ロケーションに関連したオフセットにある可能な周波数ロケーションを判定するステップを含む、請求項1に記載の方法。
【請求項５】
前記オフセットは、前記レガシーアップリンクチャネルと関連付けられるレガシー通信技術のハーフサブキャリア間隔に対応する、請求項4に記載の方法。
【請求項６】
前記オフセットは、7から8キロヘルツの範囲内である、請求項4に記載の方法。
【請求項７】
前記アップリンクチャネルラスタによって判定された前記アップリンク送信のためのチャネル番号を、前記基地局から受信するステップをさらに含む、請求項1に記載の方法。
【請求項８】
前記チャネル番号は、ブロードキャストされたシステム情報中で、ランダムアクセスチャネル構成とともに、または無線リソース制御(RRC)シグナリング中で受信される、請求項7に記載の方法。
【請求項９】
広帯域アップリンクキャリアを、2つ以上の隣接レガシー通信技術アップリンクキャリアおよび関連ガード帯域とアライメントするのを容易にするために、フラクショナルリソースブロック(RB)を含むように、前記アップリンクチャネルラスタを介して前記広帯域アップリンクキャリアを構成するステップをさらに含む、請求項1に記載の方法。
【請求項１０】
前記広帯域アップリンクキャリア内の前記フラクショナルRBのロケーションは、前記基地局のセルまたはUEのグループに特有である、請求項9に記載の方法。
【請求項１１】
前記フラクショナルRB中で受信された干渉に基づいて干渉管理を実施するステップをさらに含む、請求項9に記載の方法。
【請求項１２】
レガシー通信技術アップリンクキャリアおよび前記レガシー通信技術アップリンクキャリアのためのガード帯域用の周波数の少なくとも一部分に基づいてアップリンクキャリアを構成するステップをさらに含む、請求項1に記載の方法。
【請求項１３】
前記シフトされたアップリンク送信を送信するステップは、前記アップリンクチャネルを介して制御シグナリングを送信するステップを含み、前記レガシーアップリンクチャネルと関連付けられるレガシー通信技術によって使われない別のアップリンクキャリアを使用する別のアップリンクチャネルを介して、前記基地局にデータを送信するステップをさらに含む、請求項1に記載の方法。
【請求項１４】
新無線(NR)ワイヤレス通信のための装置であって、
トランシーバと、
命令を記憶するように構成されたメモリと、
前記トランシーバおよび前記メモリと通信可能に結合された1つまたは複数のプロセッサとを備え、前記1つまたは複数のプロセッサは、
基地局にアップリンク通信を送信するためのアップリンクチャネルのためのアップリンクチャネルラスタを判定し、
前記アップリンクチャネルを介したアップリンク送信を、前記アップリンクチャネルラスタに対してシフトすると判定し、
前記シフトされたアップリンク送信を送信するように構成され、
前記シフトされたアップリンク送信がレガシーアップリンクチャネルとアライメントする、装置。
【請求項１５】
前記アップリンク送信は、前記アップリンクチャネルラスタに関して、周波数が、7.5キロヘルツ(kHz)だけシフトされる、請求項14に記載の装置。
【請求項１６】
前記1つまたは複数のプロセッサは、
前記基地局からダウンリンク通信を受信するためのダウンリンクチャネルのためのダウンリンクチャネルラスタを判定するように構成され、
前記アップリンクチャネルラスタは、前記ダウンリンクチャネルラスタとは異なる値である、請求項14に記載の装置。
【請求項１７】
前記1つまたは複数のプロセッサは、少なくとも部分的には、ダウンリンクチャネルラスタについて判定された可能な周波数ロケーションに関連したオフセットにある可能な周波数ロケーションを判定することによって、前記アップリンクチャネルラスタを判定するように構成される、請求項14に記載の装置。
【請求項１８】
前記オフセットは、前記レガシーアップリンクチャネルと関連付けられるレガシー通信技術のハーフサブキャリア間隔に対応する、請求項17に記載の装置。
【請求項１９】
前記オフセットは、7から8キロヘルツの範囲内である、請求項17に記載の装置。
【請求項２０】
前記1つまたは複数のプロセッサは、前記アップリンクチャネルラスタによって判定されたアップリンク送信のためのチャネル番号を、前記基地局から受信するように構成される、請求項14に記載の装置。
【請求項２１】
前記チャネル番号は、ブロードキャストされたシステム情報中で、ランダムアクセスチャネル構成とともに、または無線リソース制御(RRC)シグナリング中で受信される、請求項20に記載の装置。
【請求項２２】
前記1つまたは複数のプロセッサは、広帯域アップリンクキャリアを、2つ以上の隣接レガシー通信技術アップリンクキャリアおよび関連ガード帯域とアライメントするのを容易にするために、フラクショナルリソースブロック(RB)を含むように、前記アップリンクチャネルラスタを介して前記広帯域アップリンクキャリアを構成するように構成される、請求項14に記載の装置。
【請求項２３】
前記広帯域アップリンクキャリア内の前記フラクショナルRBのロケーションは、前記基地局のセルまたはUEのグループに特有である、請求項22に記載の装置。
【請求項２４】
前記1つまたは複数のプロセッサは、前記フラクショナルRB中で受信された干渉に基づいて干渉管理を実施するように構成される、請求項22に記載の装置。
【請求項２５】
前記1つまたは複数のプロセッサは、レガシー通信技術アップリンクキャリアおよび前記レガシー通信技術アップリンクキャリアのためのガード帯域用の周波数の少なくとも一部分に基づいてアップリンクキャリアを構成するように構成される、請求項14に記載の装置。
【請求項２６】
前記1つまたは複数のプロセッサは、前記アップリンクチャネルを介して制御シグナリングを送信するように構成されるとともに、前記レガシーアップリンクチャネルと関連付けられるレガシー通信技術によって使われない別のアップリンクキャリアを使用する別のアップリンクチャネルを介して、前記基地局にデータを送信するように構成される、請求項14に記載の装置。
【請求項２７】
新無線(NR)ワイヤレス通信のための装置であって、
基地局にアップリンク通信を送信するためのアップリンクチャネルのためのアップリンクチャネルラスタを判定するための手段と、
前記アップリンクチャネルを介したアップリンク送信を、前記アップリンクチャネルラスタに対してシフトすると判定するための手段と、
前記シフトされたアップリンク送信を送信するための手段とを備え、
前記シフトされたアップリンク送信がレガシーアップリンクチャネルとアライメントする、装置。
【請求項２８】
前記アップリンク送信は、前記アップリンクチャネルラスタに関して、周波数が、7.5キロヘルツ(kHz)だけシフトされる、請求項27に記載の装置。
【請求項２９】
新無線(NR)ワイヤレス通信のための1つまたは複数のプロセッサによって実行可能なコードを備えるコンピュータ可読記録媒体であって、前記コードは、
基地局にアップリンク通信を送信するためのアップリンクチャネルのためのアップリンクチャネルラスタを判定し、
前記アップリンクチャネルを介したアップリンク送信を、前記アップリンクチャネルラスタに対してシフトすると判定し、
前記シフトされたアップリンク送信を送信するためのコードを含み、
前記シフトされたアップリンク送信がレガシーアップリンクチャネルとアライメントする、コンピュータ可読記録媒体。
【請求項３０】
前記アップリンク送信は、前記アップリンクチャネルラスタに関して、周波数が、7.5キロヘルツ(kHz)だけシフトされる、請求項29に記載のコンピュータ可読記録媒体。
【発明の詳細な説明】
【技術分野】
【０００１】
関連出願の相互参照
本特許出願は、すべての目的のために、本出願の譲受人に譲渡され、参照により本明細書に明確に組み込まれる、2018年1月3日に出願された「CHANNEL RASTER DSEIGN IN WIRELESS COMMUNICATION」と題する米国非仮出願第15/861,565号、および2017年3月3日に出願された「UPLINK CHANNEL RASTER DESIGN IN WIRELESS COMMUNICATIONS」と題する米国仮出願第62/466,966号の優先権を主張する。
【０００２】
本開示の態様は、概して、ワイヤレス通信システムに関し、より詳細には、アップリンクおよび/またはダウンリンク通信のためのチャネルラスタを提供することに関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが自治体、国家、地域、さらには地球規模のレベルで通信するのを可能にする共通プロトコルを提供するために、様々な電気通信規格において採用されている。たとえば、(5G新無線(5G NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンドと、レイテンシおよび信頼性についてのいくつかの仕様を有する超高信頼低レイテンシ通信(URLLC)と、非常に多数の被接続デバイスおよび比較的少量の遅延に影響されない情報の送信を可能にすることができるマッシブマシンタイプ通信とを含むことができる。
【発明の概要】
【発明が解決しようとする課題】
【０００５】
しかしながら、モバイルブロードバンドアクセスに対する需要が増加し続けるにつれて、5G通信技術以降におけるさらなる改善が望まれ得る。
【課題を解決するための手段】
【０００６】
以下は、1つまたは複数の態様の基本的理解を可能にするために、そのような態様の簡略化された概要を提示する。この概要は、すべての考えられる態様の包括的な概説ではなく、すべての態様の主要または重要な要素を特定することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００７】
ある例によると、ワイヤレス通信のための方法が提示される。この方法は、基地局にアップリンク通信を送信するためのアップリンクチャネルの周波数ロケーションを判定するためのアップリンクチャネルラスタを判定するステップと、アップリンクチャネルを介して基地局にアップリンク通信を送信するステップとを含む。アップリンクチャネルラスタは、アップリンクキャリアにおける、アップリンクチャネルおよびレガシー通信技術の1つまたは複数のアップリンクチャネルの共存を容易にするように、レガシー通信技術のレガシーアップリンクチャネルラスタに関して、周波数がシフトされる。
【０００８】
別の例では、トランシーバと、命令を記憶するように構成されたメモリと、トランシーバおよびメモリと通信可能に結合された1つまたは複数のプロセッサとを含む、ワイヤレス通信のための装置が提示される。1つまたは複数のプロセッサは、基地局にアップリンク通信を送信するためのアップリンクチャネルの周波数ロケーションを判定するためのアップリンクチャネルラスタを判定し、アップリンクチャネルを介して基地局にアップリンク通信を送信するように構成される。アップリンクチャネルラスタは、アップリンクキャリアにおける、アップリンクチャネルおよびレガシー通信技術の1つまたは複数のアップリンクチャネルの共存を容易にするように、レガシー通信技術のレガシーアップリンクチャネルラスタに関して、周波数がシフトされる。
【０００９】
別の例では、基地局にアップリンク通信を送信するためのアップリンクチャネルの周波数ロケーションを判定するためのアップリンクチャネルラスタを判定するための手段と、アップリンクチャネルを介して基地局にアップリンク通信を送信するための手段とを含む、ワイヤレス通信のための装置が提示される。アップリンクチャネルラスタは、アップリンクキャリアにおける、アップリンクチャネルおよびレガシー通信技術の1つまたは複数のアップリンクチャネルの共存を容易にするように、レガシー通信技術のレガシーアップリンクチャネルラスタに関して、周波数がシフトされる。
【００１０】
さらなる例では、ワイヤレス通信のための1つまたは複数のプロセッサによって実行可能なコードを含むコンピュータ可読媒体が提示される。コードは、基地局にアップリンク通信を送信するためのアップリンクチャネルの周波数ロケーションを判定するためのアップリンクチャネルラスタを判定するためのコードと、アップリンクチャネルを介して基地局にアップリンク通信を送信するためのコードとを含む。アップリンクチャネルラスタは、アップリンクキャリアにおける、アップリンクチャネルおよびレガシー通信技術の1つまたは複数のアップリンクチャネルの共存を容易にするように、レガシー通信技術のレガシーアップリンクチャネルラスタに関して、周波数がシフトされる。
【００１１】
上記の関係する目的の達成のために、1つまたは複数の態様が、以下で十分に説明されるとともに特に特許請求の範囲において指摘される特徴を備える。以下の説明および添付の図面は、1つまたは複数の態様のいくつかの例示的な特徴を詳細に記載する。これらの特徴は、しかしながら、様々な態様の原理が利用され得る様々な方法のいくつかしか示しておらず、この説明は、すべてのそのような態様と、それらの等価物とを含むことが意図されている。
【００１２】
開示する態様について、開示する態様を限定するためではなく例示するために提供される添付の図面に関して以下で説明し、同様の名称は同様の要素を示している。
【図面の簡単な説明】
【００１３】
【図１】本開示の様々な態様による、ワイヤレス通信システムの例を示す図である。
【図２】本開示の様々な態様による、基地局の例を示すブロック図である。
【図３】本開示の様々な態様による、UEの例を示すブロック図である。
【図４】本開示の様々な態様による、アップリンクチャネルラスタを判定するための方法の例を示すフローチャートである。
【図５】本開示の様々な態様による、アップリンクチャネルラスタに関する1つまたは複数のパラメータを送信するための方法の例を示すフローチャートである。
【図６】本開示の様々な態様による、基地局およびUEを含むMIMO通信システムの例を示すブロック図である。
【図７】本開示の様々な態様による、チャネルラスタの例を示す概略図である。
【発明を実施するための形態】
【００１４】
次に、図面を参照して様々な態様が記載される。以下の説明では、説明の目的で、1つまたは複数の態様を完全に理解できるように多数の具体的な詳細を記載する。しかしながら、そのような態様がこれらの具体的な詳細なしに実践される場合があることは明らかであろう。
【００１５】
記載される特徴は概して、レガシー通信技術に対するレイテンシ改善をサポートする技術などの低レイテンシ通信技術において、(たとえば、アップリンクおよび/またはダウンリンク通信のための)チャネルラスタを提供することに関する。たとえば、ロングタームエボリューション(LTE)などのレガシー通信技術が、持続時間が1サブフレーム(たとえば、1ミリ秒)である送信時間間隔(TTI)をサポートし得る。本明細書において「5G」または「NR」とも呼ばれる第5世代(5G)新無線(NR)など、比較的新しい低レイテンシ通信技術は、LTE概念、仕様などに基づき得るが、より速い通信能力を提供するために、(たとえば、12または14個のシンボルを含むレガシーサブフレーム中の)2シンボルsTTI、(たとえば、2つのスロットを含むレガシーサブフレーム中の)1スロットsTTIなどのような、異なる短い送信時間間隔(sTTI)長を使うことができる。ある例では、低レイテンシ通信技術は、アップリンクおよびダウンリンク通信用に、異なるsTTIを使い得る。その上、たとえば、レガシー通信技術および低レイテンシ通信技術は、同じまたは異なる搬送周波数上で共存し得る。
【００１６】
ある具体例では、5G NRは、(たとえば、5G NRおよびLTEが、1つまたは複数のキャリア、サブキャリアのセットなどを介して、アップリンクおよび/またはダウンリンクサブフレームを共有し得るように)アップリンク(UL)および/またはダウンリンク(DL)キャリア上でLTEと共存し得る。さらに、たとえば、5G NRおよびLTEが、同じ基地局上に共置され得る。ただし、一例では、5G NRおよびLTEは、異なるDLキャリアを使うことができる。したがって、スタンドアロンNRユーザ機器(UE)が、関連周波数(F2)上でスタンドアロンNRキャリアにアクセスすることができ、LTEキャリアに接続されない場合があるが、デュアル接続性UEは、関連周波数(F1)上でLTE ULでLTE1次セル(PCell)にアクセスすることができ、次いで、デュアル接続性によって、F1上で(および/またはDL用のF2上で)NR ULをやはり操作するように構成されてよい。ある例では、5G NRおよびLTEは、少なくとも、5G NRおよびLTE用に同じULキャリアが使われるセル中で、トーンおよび/またはリソースブロックにおいてアライメントされるように構成されてよく、そうすることにより、ワイヤレス通信技術の間での、向上した干渉管理およびリソース使用、ならびに5G NRとLTEとの間のより柔軟なスケジューリングを提供することができる。一例では、5G NRおよびLTEは、同じサブキャリア間隔(SCS)(たとえば、15キロヘルツ(kHz)SCS)を使うことができる。
【００１７】
さらに、たとえば、5G NRは、LTEおよびNRトーンアライメントを保証しながら、より柔軟なNRおよびLTE共存を可能にするために、LTE ULと同じULチャネルラスタ(たとえば、100kHz)を使用することができ、かつ/またはNRデータ/制御と同期信号との間のトーンアライメントを遂行するために、LTE DLと異なる可能性があるDLチャネルラスタ(たとえば、120kHz、180kHz、300kHz)を使うことができる。チャネルラスタによって、たとえば、チャネル用の搬送周波数が100kHzの倍数であることが意味される。一例では、5G NRにおけるDLおよびULチャネルラスタの間の関係は、異なるシステム帯域幅については異なってよい(たとえば、DLおよびULチャネルラスタは、6ギガヘルツ(GHz)未満、または3GHz未満については異なり得るが、6GHzより上については同じでよい、など)。その上、ある例では、5G NR、または他の低レイテンシ通信技術は、設計によって、LTEのハーフトーンシフトのような特殊直流(DC)または死点トーン処置をもたない場合があり、したがって、少なくともULチャネルラスタでは、ULキャリア上で、LTE、または他のレガシー通信技術とトーン/RBにおいてアライメントするために、ハーフトーン(またはハーフサブキャリア)シフトを実装し得る。シフトは、発展型ユニバーサルモバイル通信サービス(UMTS)地上波無線アクセス(E-UTRA)絶対無線周波数チャネル番号(EARFCN)に基づいて、ULキャリア用の周波数を計算するときにオフセットを適用することによって実装され得る。別の例では、異なるEARFCNが、少なくともULキャリア上でアライメントを遂行するために、ULおよびDLキャリア用に構成され得る。たとえば、EARFCNは、NRシステム情報(SI)ブロードキャスト(たとえば、ランダムアクセスチャネル(RACH)構成により)、無線リソース制御(RRC)シグナリングなどの中で構成され得る。
【００１８】
NR広帯域が構成される他の例では、LTEとの共存およびアライメントは、NR広帯域を、LTEキャリアアグリゲーション(CA)における隣接LTEキャリアとアライメントすることによって遂行され得る。この例では、複数のキャリアの各々を分離するガード帯域を有し得る複数の隣接LTEキャリアとアライメントするように、フラクショナルRBがNR広帯域に挿入され得る。別の例では、5G NR用に構成されたガード帯域よりも大きい、ULキャリア上のLTEガード帯域が、5G NRにおけるULチャネル用に使用されてよい。さらに別の例では、LTEと共存するULキャリアは、制御データ(たとえば、レイヤ1制御、レイヤ2制御、無線リンク制御(RLC)レイヤ状況プロトコルデータ単位(PDU)、レイヤ3シグナリングなど)のような、重要な情報を通信するのに使われ得る。この例では、LTEと共存しない別の5G NR ULキャリアが、データ通信用に使われ得る。
【００１９】
記載する特徴は、図1〜図6を参照して以下でより詳細に提示される。
【００２０】
本出願で使用される場合、「コンポーネント」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、コンポーネントは、限定はしないが、プロセッサ上で稼働するプロセス、プロセッサ、オブジェクト、実行ファイル、実行のスレッド、プログラム、および/またはコンピュータであってよい。例として、コンピューティングデバイス上で稼働するアプリケーションと、そのコンピューティングデバイスの両方が、コンポーネントであり得る。1つまたは複数のコンポーネントが、プロセスおよび/または実行スレッド内に存在してよく、1つのコンポーネントが、1つのコンピュータ上に配置されてよく、かつ/または2つ以上のコンピュータ間に分散されてよい。さらに、これらのコンポーネントは、様々なデータ構造を記憶した様々なコンピュータ可読媒体から実行することができる。これらのコンポーネントは、信号によって、ローカルシステム、分散システム内の別のコンポーネントと対話し、かつ/またはインターネットなどのネットワークを介して他のシステムと対話する1つのコンポーネントからのデータのような1つまたは複数のデータパケットを有する信号に従うことなどによって、ローカルプロセスおよび/またはリモートプロセスによって通信し得る。
【００２１】
本明細書で説明される技法は、CDMA、TDMA、FDMA、OFDMA、SC-FDMA、および他のシステムなど、様々なワイヤレス通信システムのために使用され得る。「システム」および「ネットワーク」という用語は、しばしば互換的に使用される場合がある。CDMAシステムは、CDMA2000、ユニバーサル地上波無線アクセス(UTRA)などの無線技術を実装してよい。CDMA2000は、IS-2000規格、IS-95規格、およびIS-856規格を対象とする。IS-2000リリース0およびAは一般に、CDMA2000 1X、1Xなどと呼ばれる。IS-856(TIA-856)は、一般にCDMA2000 1xEV-DO、高速パケットデータ(HRPD)などと呼ばれる。UTRAは、広帯域CDMA(WCDMA(登録商標))、およびCDMAの他の変形態を含む。TDMAシステムは、モバイル通信用グローバルシステム(GSM(登録商標))のような無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-AおよびGSM(登録商標)は、「第3世代パートナーシッププロジェクト」(3GPP)と称する団体による文書に記載されている。CDMA2000およびUMBは、「第3世代パートナーシッププロジェクト2」(3GPP2)と称する団体による文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に(たとえば、5Gネットワークまたは他の次世代通信システムに)適用可能である。
【００２２】
以下の説明は、例を提供するものであり、特許請求の範囲に記載された範囲、適用性、または例を限定するものではない。本開示の範囲から逸脱することなしに、論じる要素の機能および配置に変更が行われてよい。様々な例は、必要に応じて、様々な手順またはコンポーネントを省略し、置換し、または追加することがある。たとえば、説明する方法は、説明する方法とは異なる順序で実施されることがあり、様々なステップが追加され、省略され、または結合されることがある。また、いくつかの例に関して説明する特徴が、他の例では組み合わされることがある。
【００２３】
様々な態様または特徴が、いくつかのデバイス、コンポーネント、モジュールなどを含み得るシステムに関して提示される。様々なシステムは、追加のデバイス、コンポーネント、モジュールなどを含むことがあり、かつ/または、図に関連して論じられるデバイス、コンポーネント、モジュールなどのすべてを含まなくてもよいことを、理解および認識されたい。これらの手法の組合せも使用される場合がある。
【００２４】
図1は、本開示の様々な態様によるワイヤレス通信システム100の例を示す。ワイヤレス通信システム100は、1つまたは複数の基地局105、1つまたは複数のUE115、およびコアネットワーク130を含み得る。コアネットワーク130は、ユーザ認証、アクセス許可、追跡、インターネットプロトコル(IP)接続、および他のアクセス機能、ルーティング機能、またはモビリティ機能を提供し得る。基地局105は、バックホールリンク132(たとえば、S1など)を通してコアネットワーク130とインターフェースし得る。基地局105は、UE115との通信のための無線構成およびスケジューリングを実施し得るか、または基地局コントローラ(図示せず)の制御下で動作し得る。様々な例では、基地局105は、ワイヤード通信リンクまたはワイヤレス通信リンクであり得るバックホールリンク134(たとえば、X2など)を介して、直接的または間接的に(たとえば、コアネットワーク130を通して)のいずれかで、互いと通信し得る。
【００２５】
基地局105は、1つまたは複数の基地局アンテナを介して、UE115とワイヤレス通信することができる。基地局105の各々は、それぞれの地理的カバレージエリア110に通信カバレージを提供し得る。いくつかの例では、基地局105は、ネットワークエンティティ、基地トランシーバ局、無線基地局、アクセスポイント、無線トランシーバ、ノードB、eノードB(eNB)、ホームノードB、ホームeノードB、または何らかの他の好適な用語で呼ばれることがある。基地局105のための地理的カバレージエリア110は、カバレージエリアの一部分のみを構成するセクタ(図示せず)に分割され得る。ワイヤレス通信システム100は、異なるタイプの基地局105(たとえば、マクロセル基地局またはスモールセル基地局)を含み得る。異なる技術のための重複する地理的カバレージエリア110があり得る。
【００２６】
いくつかの例では、ワイヤレス通信システム100は、ロングタームエボリューション(LTE)またはLTEアドバンスト(LTE-A)ネットワークであってよく、またはそれを含むことがある。ワイヤレス通信システム100は、5Gワイヤレス通信ネットワークなどの次世代ネットワークであってもよい。LTE/LTE-Aネットワークでは、発展型ノードB(eNB)、gNBなどの用語は、一般に、基地局105を表すために使用されてよく、UEという用語は、一般に、UE115を表すために使用されてよい。ワイヤレス通信システム100は、異なるタイプのeNBが様々な地理的領域にカバレージを提供する異種LTE/LTE-Aネットワークであり得る。たとえば、各eNBまたは基地局105は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る、3GPP用語である。
【００２７】
マクロセルは、比較的大きい地理的エリア(たとえば、半径数キロメートル)をカバーすることができ、ネットワークプロバイダに加入しているUE115による無制限アクセスを可能にできる。
【００２８】
スモールセルは、マクロセルと同じまたはマクロセルとは異なる(たとえば、認可、無認可などの)周波数帯域において動作し得る、マクロセルと比較すると低電力の基地局を含み得る。スモールセルは、様々な例に従って、ピコセル、フェムトセル、およびマイクロセルを含み得る。ピコセルは、たとえば、小さい地理的エリアをカバーすることができ、ネットワークプロバイダのサービスに加入しているUE115による無制限アクセスを許容し得る。フェムトセルも、小さい地理的エリア(たとえば、自宅)をカバーすることができ、フェムトセルとの関連を有するUE115(たとえば、限定加入者グループ(CSG)中のUE115、自宅内のユーザのためのUE115など)による制限されたアクセスを提供し得る。マクロセルのためのeNBは、マクロeNB、gNBなどと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートすることができる。
【００２９】
様々な開示する例のいくつかに適応し得る通信ネットワークは、階層化プロトコルスタックに従って動作するパケットベースネットワークであり得、ユーザプレーンにおけるデータは、IPに基づき得る。パケットデータコンバージェンスプロトコル(PDCP)レイヤは、IPパケットのヘッダ圧縮、暗号化、完全性保護などを提供し得る。無線リンク制御(RLC)レイヤが、論理チャネルを通して通信するためにパケットセグメンテーションおよびリアセンブリを実施し得る。MACレイヤは、優先処理と、トランスポートチャネルへの論理チャネルの多重化とを実施し得る。MACレイヤはまた、MACレイヤにおける再送信を行ってリンク効率を改善するためにHARQを使用し得る。制御プレーンでは、無線リソース制御(RRC)プロトコルレイヤは、UE115と基地局105との間のRRC接続の確立、構成、および維持を提供し得る。RRCプロトコルレイヤはまた、ユーザプレーンデータのための無線ベアラのコアネットワーク130サポートのためにも使用され得る。物理(PHY)レイヤでは、トランスポートチャネルは、物理チャネルにマッピングされ得る。
【００３０】
UE115は、ワイヤレス通信システム100全体にわたって分散されてよく、各UE115は固定または移動であり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の適切な用語を含むか、または当業者によってそのように呼ばれることがある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局、エンターテインメントデバイス、車両の部品などであり得る。UEは、マクロeNB、スモールセルeNB、中継基地局などを含む様々なタイプの基地局、およびネットワーク機器と通信することが可能であり得る。
【００３１】
ワイヤレス通信システム100において示される通信リンク125は、UE115から基地局105へのアップリンク(UL)送信、または基地局105からUE115へのダウンリンク(DL)送信を搬送し得る。ダウンリンク送信は、順方向リンク送信と呼ばれることもあり、アップリンク送信は、逆方向リンク送信と呼ばれることもある。各通信リンク125は、1つまたは複数のキャリアを含んでよく、各キャリアは、上記で説明した様々な無線技術に従って変調される複数のサブキャリア(たとえば、異なる周波数の波形信号)から構成される信号であり得る。各被変調信号は、異なるサブキャリア上で送信されてよく、制御情報(たとえば、基準信号、制御チャネルなど)、オーバーヘッド情報、ユーザデータなどを搬送し得る。通信リンク125は、周波数分割複信(FDD)動作(たとえば、対のスペクトルリソースを使用する)または時分割複信(TDD)動作(たとえば、不対のスペクトルリソースを使用する)を使用して、双方向通信を送信することができる。フレーム構造が、FDD(たとえば、フレーム構造タイプ1)およびTDD(たとえば、フレーム構造タイプ2)のために定義され得る。
【００３２】
ワイヤレス通信システム100の態様では、基地局105またはUE115は、アンテナダイバーシティ方式を採用して基地局105とUE115との間の通信品質および信頼性を改善するための複数のアンテナを含み得る。追加または代替として、基地局105またはUE115は、同じまたは異なるコード化データを搬送する複数の空間レイヤを送信するためにマルチパス環境を利用し得る、多入力多出力(MIMO)技法を採用し得る。
【００３３】
ワイヤレス通信システム100は、複数のセルまたはキャリア上での動作、キャリアアグリゲーション(CA)またはマルチキャリア動作と呼ばれる場合がある特徴をサポートすることができる。キャリアはまた、コンポーネントキャリア(CC)、レイヤ、チャネルなどと呼ばれる場合がある。「キャリア」、「コンポーネントキャリア」、「セル」、および「チャネル」という用語は、本明細書では互換的に使用される場合がある。UE115は、キャリアアグリゲーションのために、複数のダウンリンクCCおよび1つまたは複数のアップリンクCCで構成され得る。キャリアアグリゲーションは、FDDコンポーネントキャリアとTDDコンポーネントキャリアの両方に使用されてよい。
【００３４】
ある例では、UE115は、1つまたは複数の基地局105と通信するためのUL(および/またはDL)チャネルラスタを判定するように構成された通信コンポーネント340を含み得る。たとえば、通信コンポーネント340は、ULキャリア中でのレガシー通信技術との共存を容易にするために、LTEなどのレガシー通信技術のレガシーULチャネルラスタとのトーンおよび/またはRBアライメントを有し得る、5G NRなどの低レイテンシ通信技術のためのULチャネルラスタを判定することができる。追加または代替的として、低レイテンシ通信技術のためのULチャネルラスタは、DLチャネルラスタとは異なるように判定される場合がある。一例では、基地局105は、チャネル番号(たとえば、EARFCN)、フラクショナルRBを広帯域に挿入するための周波数ロケーションなどを含み得る、ULチャネルラスタ用の周波数ロケーションなど、ULチャネルラスタの構成に関連した1つまたは複数のパラメータをUE115に送信するように構成された構成コンポーネント240を含み得る。その上、ある例では、通信コンポーネント340は、レガシー通信技術と共存するULキャリアを介して、いくつかの通信(たとえば、制御データ)を送信するように、および/またはレガシー通信技術と共存しない異なるULキャリアを介して他の通信(たとえば、データ)を送信するように構成され得る。
【００３５】
次に図2〜図5を参照すると、本明細書で説明するアクションまたは動作を実施することができる1つまたは複数のコンポーネントおよび1つまたは複数の方法に関して態様が示されており、破線中の態様は任意選択であってよい。図4〜図5において以下で説明する動作は、特定の順序でおよび/または例示的なコンポーネントによって実施されるものとして提示されるが、アクションの順序およびアクションを実施するコンポーネントは、実装形態に応じて様々であり得ることを理解されたい。さらに、以下のアクション、機能、および/または記載するコンポーネントは、特別にプログラムされたプロセッサ、特別にプログラムされたソフトウェアもしくはコンピュータ可読媒体を実行するプロセッサによって、または説明するアクションもしくは機能を実施することが可能なハードウェアコンポーネントおよび/もしくはソフトウェアコンポーネントの任意の他の組合せによって実施され得ることを理解されたい。
【００３６】
図2を参照すると、通信リンク125を介して基地局105と通信する複数のUE115を有するワイヤレス通信システムの部分を含むブロック図200が示されており、ここで基地局105は、ネットワーク210にも接続される。UE115は、基地局105とアップリンクおよび/またはダウンリンクチャネルを介して通信するためのチャネルラスタ(たとえば、アップリンクおよび/またはダウンリンクチャネルラスタ)を判定するように構成される、本開示に記載されるUEの例であり得る。その上、基地局105は、アップリンクチャネルラスタに基づいて、アップリンクチャネルを介してUE115からアップリンク通信を受信し、かつ/またはダウンリンクチャネルラスタに基づいて、ダウンリンクチャネルを介してUE115にダウンリンク通信を送信するように構成される、本開示に記載される基地局(たとえば、eNB、gNBなど)の例であり得る。
【００３７】
ある態様では、図2の基地局は、本開示で提示する機能、方法(たとえば、図5の方法500)などを実施するために構成コンポーネント240と組み合わせて動作し得る1つもしくは複数のプロセッサ205、および/またはメモリ202を含み得る。本開示によると、構成コンポーネント240は、アップリンクおよび/またはダウンリンクチャネルラスタ用の構成に関する1つまたは複数のパラメータをUE115に通信するように構成され得る。たとえば、1つまたは複数のパラメータは、ULおよび/またはDLチャネルラスタ用の周波数ロケーションに対応してよく、ロケーションは、ULおよび/もしくはDLチャネルラスタに関連したチャネル番号(たとえば、EARFCN)、ULチャネルラスタ上の広帯域中にフラクショナルRBを挿入するための周波数ロケーション(ならびに/またはフラクショナルRBのサイズ)などを含み得る。EARFCNは、E-UTRA絶対無線周波数チャネル番号を表す。LTEでは、アップリンクおよびダウンリンクにおける搬送周波数は、0〜65535の間にわたるEARFCNによって指定される。EARFCNは、搬送周波数およびLTE帯域を一意に識別する。
【００３８】
1つまたは複数のプロセッサ205は、1つまたは複数のモデムプロセッサを使用するモデム220を含むことができる。構成コンポーネント240、および/またはそのサブコンポーネントに関連する様々な機能は、モデム220および/またはプロセッサ205内に含まれてよく、一態様では、単一のプロセッサによって実行されてよく、他の態様では、機能のうちの異なるものは、2つ以上の異なるプロセッサの組合せによって実行されてよい。たとえば、ある態様では、1つまたは複数のプロセッサ205は、モデムプロセッサ、またはベースバンドプロセッサ、またはデジタル信号プロセッサ、または送信プロセッサ、またはトランシーバ270に関連するトランシーバプロセッサ、またはシステムオンチップ(SoC)のうちの任意の1つまたは任意の組合せを含み得る。具体的には、1つまたは複数のプロセッサ205は、構成コンポーネント240内に含まれる機能およびコンポーネントを実行することができる。
【００３９】
いくつかの例では、構成コンポーネント240、およびサブコンポーネントの各々は、ハードウェア、ファームウェア、および/またはソフトウェアを備えてよく、メモリ(たとえば、以下で論じるメモリ202などのコンピュータ可読記憶媒体)内に記憶されたコードを実行するか、または命令を実施するように構成されてもよい。さらに、ある態様では、図2の基地局105は、たとえば、UE115への無線送信を受信および送信するための無線周波数(RF)フロントエンド290およびトランシーバ270を含み得る。トランシーバ270は、モデム220と協調して、構成コンポーネント240向けの信号を受信し、またはコンポーネント240によって生成された信号をUEに送信することができる。RFフロントエンド290は、1つまたは複数のアンテナ273に接続されてもよく、アップリンクチャネルおよびダウンリンクチャネルでRF信号を送信および受信するために、1つまたは複数のスイッチ292、1つまたは複数の増幅器(たとえば、電力増幅器(PA)294および/または低雑音増幅器291)、ならびに1つまたは複数のフィルタ293を含むことができる。一態様では、RFフロントエンド290のコンポーネントは、トランシーバ270に通信可能に結合され得る。トランシーバ270は、モデム220およびプロセッサ205のうちの1つまたは複数に通信可能に接続され得る。
【００４０】
トランシーバ270は、RFフロントエンド290を介してアンテナ273を通して、ワイヤレス信号を(たとえば、送信機(TX)無線275を介して)送信し、(たとえば、受信機(RX)無線280を介して)受信するように構成され得る。ある態様では、トランシーバ270は、基地局105が、たとえば、UE115と通信できるように、指定された周波数で動作するように調整され得る。ある態様では、たとえば、モデム220は、基地局105の構成、およびモデム220により使用される通信プロトコルに基づき、トランシーバ270を指定された周波数および電力レベルで動作するように構成することができる。
【００４１】
図2の基地局105は、本明細書で使用するデータ、および/またはアプリケーションもしくは構成コンポーネント240のローカルバージョン、ならびに/あるいはプロセッサ205によって実行されているそのサブコンポーネントのうちの1つもしくは複数を記憶するためなどのメモリ202をさらに含み得る。メモリ202は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたはプロセッサ205によって使用可能な任意のタイプのコンピュータ可読媒体を含むことができる。ある態様では、たとえば、メモリ202は、構成コンポーネント240および/または1つもしくは複数のそのサブコンポーネントを定義する1つまたは複数のコンピュータ実行可能コードを記憶するコンピュータ可読記憶媒体であってよい。追加または代替として、基地局105は、RFフロントエンド290、トランシーバ270、メモリ202、またはプロセッサ205のうちの1つまたは複数を通信可能に結合し、基地局105のコンポーネントおよび/またはサブコンポーネントの各々の間でシグナリング情報を交換するためのバス211を含み得る。
【００４２】
ある態様では、プロセッサ205は、図6の基地局との関連で記載されるプロセッサのうちの1つまたは複数に対応し得る。同様に、メモリ202は、図6の基地局との関連で記載されるメモリに対応し得る。
【００４３】
図3を参照すると、通信リンク125を介して基地局105と通信する複数のUE115を有するワイヤレス通信システムの部分を含むブロック図300が示されており、ここで基地局105は、ネットワーク210にも接続される。UE115は、基地局105とアップリンクおよび/またはダウンリンクチャネルを介して通信するためのチャネルラスタ(たとえば、アップリンクチャネルラスタおよび/またはダウンリンクチャネルラスタ)を判定するように構成される、本開示に記載されるUEの例であり得る。その上、基地局105は、アップリンクチャネルラスタに基づいて、アップリンクチャネルを介してUE115からアップリンク通信を受信し、かつ/またはダウンリンクチャネルラスタに基づいて、ダウンリンクチャネルを介してUE115にダウンリンク通信を送信するように構成される、本開示に記載される基地局(たとえば、eNB、gNBなど)の例であり得る。
【００４４】
ある態様では、図3のUE115は、本開示で提示する機能、方法(たとえば、図4の方法400)などを実施するために通信コンポーネント340と組み合わせて動作し得る1つもしくは複数のプロセッサ305、および/またはメモリ302を含み得る。本開示によると、通信コンポーネント340は、ULチャネルを介して基地局105にUL通信を送信するためのULチャネルラスタを判定するように構成されたULチャネルラスタコンポーネント342、DLチャネルを介して基地局105からDL通信を受信するためのDLチャネルラスタを判定するように構成された、任意選択のDLチャネルラスタコンポーネント344、および/またはULチャネルラスタを判定することに関連した1つもしくは複数のパラメータを基地局105から受信するための、任意選択の構成受信コンポーネント346を含み得る。
【００４５】
1つまたは複数のプロセッサ305は、1つまたは複数のモデムプロセッサを使用するモデム320を含むことができる。通信コンポーネント340、および/またはそのサブコンポーネントに関連する様々な機能は、モデム320および/またはプロセッサ305内に含まれてよく、ある態様では、単一のプロセッサによって実行されてよく、他の態様では、機能のうちの異なるものは、2つ以上の異なるプロセッサの組合せによって実行されてよい。たとえば、ある態様では、1つまたは複数のプロセッサ305は、モデムプロセッサ、またはベースバンドプロセッサ、またはデジタル信号プロセッサ、または送信プロセッサ、またはトランシーバ370に関連するトランシーバプロセッサ、またはシステムオンチップ(SoC)のうちの任意の1つまたは任意の組合せを含み得る。具体的には、1つまたは複数のプロセッサ305は、通信コンポーネント340内に含まれる機能およびコンポーネントを実行することができる。
【００４６】
いくつかの例では、通信コンポーネント340、およびサブコンポーネントの各々は、ハードウェア、ファームウェア、および/またはソフトウェアを備えてよく、メモリ(たとえば、以下で論じるメモリ302などのコンピュータ可読記憶媒体)内に記憶されたコードを実行するか、または命令を実施するように構成されてよい。さらに、ある態様では、図3のUE115は、たとえば、基地局105への無線送信を受信および送信するためのRFフロントエンド390およびトランシーバ370を含み得る。トランシーバ370は、モデム320と協調して、通信コンポーネント340によって受信されたパケットを含む信号を受信することができる。RFフロントエンド390は、1つまたは複数のアンテナ373に接続されてよく、アップリンクチャネルおよびダウンリンクチャネルでRF信号を送信および受信するために、1つまたは複数のスイッチ392、1つまたは複数の増幅器(たとえば、PA394および/またはLNA391)、ならびに1つまたは複数のフィルタ393を含むことができる。ある態様では、RFフロントエンド390のコンポーネントは、トランシーバ370に通信可能に結合され得る。トランシーバ370は、モデム320およびプロセッサ305のうちの1つまたは複数に通信可能に接続され得る。
【００４７】
トランシーバ370は、RFフロントエンド390を介してアンテナ373を通して、ワイヤレス信号を(たとえば、送信機(TX)無線375を介して)送信し、(たとえば、受信機(RX)無線380を介して)受信するように構成され得る。ある態様では、トランシーバ370は、UE115が、たとえば、基地局105と通信できるように、指定された周波数で動作するように調整され得る。ある態様では、たとえば、モデム320は、UE115の構成、およびモデム320により使用される通信プロトコルに基づき、トランシーバ370を指定された周波数および電力レベルで動作するように構成することができる。
【００４８】
図3のUE115は、本明細書で使用するデータ、および/またはアプリケーションもしくは通信コンポーネント340のローカルバージョン、ならびに/あるいはプロセッサ305によって実行されているそのサブコンポーネントのうちの1つもしくは複数を記憶するためなどのメモリ302をさらに含み得る。メモリ302は、RAM、ROM、テープ、磁気ディスク、光ディスク、揮発性メモリ、不揮発性メモリ、およびそれらの任意の組合せなどの、コンピュータまたはプロセッサ305によって使用可能な任意のタイプのコンピュータ可読媒体を含むことができる。ある態様では、たとえば、メモリ302は、通信コンポーネント340および/または1つもしくは複数のそのサブコンポーネントを定義する1つまたは複数のコンピュータ実行可能コードを記憶するコンピュータ可読記憶媒体であってよい。追加または代替として、UE115は、RFフロントエンド390、トランシーバ374、メモリ302、またはプロセッサ305のうちの1つまたは複数を通信可能に結合し、UE115のコンポーネントおよび/またはサブコンポーネントの各々の間でシグナリング情報を交換するためのバス311を含み得る。
【００４９】
ある態様では、プロセッサ305は、図6のUEとの関連で記載されるプロセッサのうちの1つまたは複数に対応し得る。同様に、メモリ302は、図6のUEとの関連で記載されるメモリに対応し得る。
【００５０】
図4は、UL通信を送信するためのULチャネルおよび/またはDL通信を受信するためのDLチャネルの周波数ロケーションを判定するためのULおよび/またはDLチャネルラスタを(たとえば、UEによって)判定するための方法400の例のフローチャートを示す。
【００５１】
任意選択で、ブロック402において、アップリンクチャネルラスタを判定することに関連した構成が受信され得る。ある態様では、構成受信コンポーネント346が、たとえば、プロセッサ305、メモリ302、通信コンポーネント340、および/またはトランシーバ370とともに、ULチャネルラスタを判定することに関連した構成を(たとえば、基地局105から)受信し得る。たとえば、構成は、ULチャネルラスタの周波数ロケーションを示す1つまたは複数のパラメータを含んでよく、周波数ロケーションは、本明細書においてさらに記載されるように、ULチャネルラスタがそれに基づいて判定され得るチャネル番号(たとえば、EARFCN)、ULチャネルラスタを介したULチャネルをレガシーULチャネルとアライメントするように広帯域に挿入するためのフラクショナルRBロケーションまたはサイズの指示などを含み得る。たとえば、構成受信コンポーネント346が、1つまたは複数のマスター情報ブロック(MIB)、システム情報ブロック(SIB)、最小SIなどのような、NRシステム情報(SI)ブロードキャストの一部として構成を受信することができ、これらは、ランダムアクセスチャネル(RACH)構成および/またはUL EARFCNをさらに含み得る。別の例では、構成受信コンポーネント346は、RRCシグナリング、または他のブロードキャストもしくは専用シグナリング中で構成を基地局105から受信し得る。その上、たとえば、構成受信コンポーネント346は、異なるシグナリング中で複数の構成を受信し得る(たとえば、ブロードキャストシグナリング中で周波数ロケーション/チャネル番号を、および/または専用シグナリング中でフラクショナルRBなどを受信する)。別の例では、構成受信コンポーネント346は、ハードコーディングされるか、またはそうでなければUE115のメモリ302に記憶された構成を受信し得る。
【００５２】
任意選択で、ブロック404において、ダウンリンク通信を受信するためのダウンリンクチャネルの周波数ロケーションを判定するためのダウンリンクチャネルラスタが判定され得る。ある態様では、DLチャネルラスタコンポーネント344が、たとえば、プロセッサ305、メモリ302、通信コンポーネント340、および/またはトランシーバ370とともに、DL通信を(たとえば、基地局105から)受信するためのDLチャネルの周波数ロケーションを判定するためのDLチャネルラスタを判定することができる。たとえば、DLチャネルラスタコンポーネント344は、本明細書においてさらに記載されるように、DLチャネルラスタを、ULチャネルラスタとは異なるように判定し得る。ある例では、DLチャネルラスタコンポーネント344は、基地局105からの構成中で受信されたチャネル番号(たとえば、EARFCN)などの周波数ロケーションに基づいてDLチャネルラスタを判定し得る。たとえば、DLチャネルラスタコンポーネント344は、DLチャネルラスタを、固有値(たとえば、120kHz、180kHz、300kHzなど)であるように判定することができ、EARFCNチャネル番号、すなわちNDLに基づいてDLチャネルラスタを判定するのに、FDL=RDL*NDLなどの公式を使うことができ、ここでNDLは、DLチャネルラスタを判定するために受信されたチャネル番号(たとえば、EARFCN)であってよく、FDLはダウンリンク周波数であってよく、RDLは、120kHzに対しては0.12、180kHzに対しては0.18、300kHzに対しては0.3などに等しくてよいラスタ値であってよい。つまり、0kHzオフセットをもつ、120/180/300kHzチャネルラスタを有するDLに対して、FDL=0.12/0.18/0.3*NDL(MHz)である。いずれのケースでも、通信コンポーネント340は、DLチャネルラスタを介した、1つまたは複数の基地局105からのDL同期信号を復号しようと試みて、判定されたDLチャネルラスタに基づいて、セル探索を実施することができる。異なるラスタオフセットが、ULまたはDLチャネル用にチャネルラスタが判定されているかに依存し得る。この例では、DLチャネル用には、オフセットが使われなくてよい。
【００５３】
ブロック406において、アップリンク通信を送信するためのアップリンクチャネルの周波数ロケーションを判定するためのアップリンクチャネルラスタが判定され得る。ある態様では、ULチャネルラスタコンポーネント342が、たとえば、プロセッサ305、メモリ302、通信コンポーネント340、および/またはトランシーバ370とともに、UL通信を(たとえば、基地局105に)送信するためのULチャネルの周波数ロケーションを判定するためのULチャネルラスタを判定し得る。たとえば、ULチャネルラスタコンポーネント342は、5G NRなどの低レイテンシ通信技術を使って通信するためのULチャネルラスタを判定することができ、ここでULチャネルラスタは、LTEなどのレガシー通信技術のレガシーULチャネルラスタにトーン/RBにおいてアライメントして、低レイテンシ通信技術でのULチャネルと、レガシー通信技術でのULチャネルの共存を容易にすることができる。たとえば、この点において、低レイテンシ通信技術およびレガシー通信技術のULチャネルラスタをアライメントすることにより、向上した干渉および/またはリソース使用、ならびに(たとえば、共置技術をサポートする基地局における)通信技術の間でのより柔軟なスケジューリングなどを可能にすることができる。
【００５４】
たとえば、ブロック406においてアップリンクチャネルラスタを判定する際、任意選択で、ブロック408において、アップリンクチャネルラスタは、レガシーアップリンクチャネルラスタに関して周波数がシフトされていると判定され得る。ある態様では、ULチャネルラスタコンポーネント342が、たとえば、プロセッサ305、メモリ302、通信コンポーネント340、および/またはトランシーバ370とともに、アップリンクチャネルラスタを、レガシーアップリンクチャネルラスタに関して周波数がシフトされていると判定し得る。たとえば、LTEなどのレガシー通信技術では、ULチャネルラスタは、DCトーンを介して送信するのを回避するように、トーンの半分(たとえば、実質的には7.5kHzであって、LTEではトーンは15kHzである)だけ周波数がシフトされ得る。5G NRなどの低レイテンシ通信技術では、DCトーンの回避は、技術の考慮でも要件でもなくてよく、したがって、ULチャネルラスタコンポーネント342は、ULチャネルラスタをレガシーULチャネルラスタとアライメントする(レガシー通信技術のトーンシフトを考慮して)のを容易にするために、レガシー通信技術におけるのと同様のシフトに基づいてULチャネルラスタを判定し得る。ある例では、ULチャネルラスタコンポーネント342は、7〜8kHz、または実質的には7.5kHzであり得る、レガシー通信技術のハーフトーンの範囲内のシフトに基づいてULチャネルラスタを判定し得る。したがって、一例では、ULチャネルラスタコンポーネント342は、シフトを実現するために、周波数にオフセットを適用することによって、ULチャネルラスタを判定し得る。たとえば、ULチャネルラスタコンポーネント342は、チャネル番号、すなわち、FUL=O+RUL*NULなどのNULに基づいてULチャネルラスタを判定することができ、ここで、NULは、ULチャネルラスタを判定するために受信されたチャネル番号(たとえば、EARFCN)であってよく、FULはアップリンク周波数であり、RULは、100kHzに対しては0.1に等しくてよいラスタ値であってよく、Oは、7.5kHzに対しては0.0075であってよい、周波数シフトを実現するためのオフセットであってよい、などのようになる。たとえば、EARFCN定義が固定絶対周波数値から始まると仮定すると、ULは、LTE ULハーフトーン(7.5kHz)シフトとアライメントするための7.5kHzオフセットをもつ100kHzチャネルラスタを有し得る。FUL=0.0075+0.1*NUL(MHz)であり、ここで、NはEARFCNチャネル番号であり、FULはアップリンク周波数である。DLとは異なり、いくつかの例では、ここにはラスタオフセットが存在する。ULチャネルラスタの例を図7に示すが、これは、LTE用の例示的ULチャネルラスタ700、および5G NR用の例示的ULチャネルラスタ702を示す。示されるように、たとえば、5G NR用のULチャネルラスタ702は、トーンをLTE用のULチャネルラスタ700とアライメントするように(たとえば、7.5kHzだけ)オフセットされ得る。
【００５５】
別の例では、ブロック406においてアップリンクチャネルラスタを判定する際、任意選択で、ブロック410において、アップリンクチャネルラスタは、ダウンリンクチャネルラスタとは異なると判定され得る。ある態様では、ULチャネルラスタコンポーネント342が、たとえば、プロセッサ305、メモリ302、通信コンポーネント340、および/またはトランシーバ370とともに、ULチャネルラスタを、DLチャネルラスタとは異なると判定し得る。たとえば、5G NRなどの低レイテンシ通信技術では、ULチャネルラスタおよびDLチャネルラスタは、異なる値を有し得る。たとえば、ULチャネルラスタコンポーネント342は、記載されるように、共存を遂行するために、ULチャネルラスタを、レガシーULチャネルラスタ(たとえば、LTE)と同じであり得る100kHzであると判定してよく、DLチャネルラスタコンポーネント344は、NRデータ/制御と同期信号との間のトーンアライメントを遂行するために、DLチャネルラスタを、120kHz、180kHz、300kHzなどのような、異なる値であると判定してよい。さらに、ある例では、DLチャネルラスタとULチャネルラスタとの間の関係は、異なるシステム帯域幅に対しては異なり得る(たとえば、6GHz未満(または3.5GHz未満)が、異なるDLおよびULチャネルラスタを有する場合があり、6GHzより上(または3.5GHzより上)が、同じDLおよびULチャネルラスタを有する場合がある)。
【００５６】
別の例では、ブロック406においてアップリンクチャネルラスタを判定する際、任意選択で、ブロック412において、アップリンクチャネルラスタに対応する周波数ロケーションが受信され得る。ある態様では、構成受信コンポーネント346が、たとえば、プロセッサ305、メモリ302、通信コンポーネント340、および/またはトランシーバ370とともに、ULチャネルラスタに対応する周波数ロケーション(たとえば、チャネル番号)を受信し得る。たとえば、構成受信コンポーネント346は、チャネル番号を、DLチャネルラスタを判定するためのDLチャネル番号とは異なるチャネル番号として受信し得る。一例では、チャネル番号はEARFCNに対応し得る。一例では、構成受信コンポーネント346は、NRのみまたはNRおよびLTEを使って通信するためのUE115の能力に基づいて、周波数ロケーションを受信し得る。UEがDLを獲得すると、基地局105は、どの周波数がUL用に使われるかをUE115に対して示すことができる。UE115がNRのみを使って通信する場合(すなわち、NRスタンドアロン(SA)展開)、たとえば、構成受信コンポーネント346は、NR SIブロードキャストからの周波数ロケーションを(たとえば、MIB、SIBなどを介して)基地局105から受信することができ、ブロードキャストは、基地局105およびUL EARFCHとのランダムアクセスを実施するためのRACH構成も含み得る。UE115が、LTEおよびNRを使って通信する場合(すなわち、NR非スタンドアロン(NSA)展開)、たとえば、UE115は、基地局105をもつLTEセルを獲得することができ、構成受信コンポーネント346は、LTEセルからのRRCシグナリングまたは他の専用シグナリングによるものであってよい、NRについての周波数ロケーションまたは他の構成パラメータ(たとえば、RACH構成)をLTEセルから受信することができる。いずれのケースでも、NR UEがLTEセルを獲得した後、基地局105は、UL EARFCH、そしてUL RACH構成(DL EARFCH、同期信号構成などに加え)を含む、NR UL構成についてのLTEセルからのNR UEを構成することができる。
【００５７】
別の例では、ブロック406においてアップリンクチャネルラスタを判定する際、任意選択で、ブロック414において、アップリンクチャネルラスタ中の広帯域アップリンクキャリアが、広帯域アップリンクキャリア内のフラクショナルRBを含むと判定され得る。ある態様では、通信コンポーネント340が、たとえば、プロセッサ305、メモリ302、および/またはトランシーバ370とともに、ULチャネルラスタ中の広帯域ULキャリアを、広帯域ULキャリア内のフラクショナルRBを含むと判定し得る。たとえば、通信コンポーネント340は、広帯域ULキャリア内のフラクショナルRBを、レガシー通信技術とアライメントするように挿入し得る。フラクショナルRBは、NRおよびLTE RBアライメントを可能にするように、NR RBの中に挿入される。
【００５８】
たとえば、広帯域ULキャリアが、レガシー通信技術における複数のレガシーULキャリアにまたがる場合、通常は複数のレガシーULキャリアの間にガード帯域が存在し得る。したがって、通信コンポーネント340は、広帯域ULキャリアのサイズを、ガード帯域ならびに複数のレガシーULキャリアを含むように構成し得る。ある具体例では、LTEにおいて、各ULキャリアは20メガヘルツ(MHz)であってよい。LTE隣接CA用に、フラクショナルRBが2つのCC(たとえば20MHz)の間に必要とされ得る。NR広帯域UE(たとえば、2つのLTE CCにわたる)が、2つのLTE CCの間のフラクショナルRBを占有するために、NRは、LTEとのRBアライメントを遂行するための、対応するフラクショナルRBを導入してよい。したがって、5G NRにおける40MHzの広帯域ULキャリア用に、通信コンポーネント340は、ULキャリアを介した、5G NRとLTEとの間のトーン/RBのアライメントを容易にするために、広帯域ULキャリアを、LTEにおいて指定される、隣接20MHzキャリアの間のガード帯域に対応するフラクショナルRBとともに、2つの隣接LTE ULキャリアにまたがるように構成すればよい。一例では、記載されるように、構成受信コンポーネント346は、セル特有(および/またはUEのグループに特有)であってよい、広帯域ULキャリア内のフラクショナルRBサイズまたはロケーションの指示を、基地局105から受信することができ、通信コンポーネント340は、それに従って、広帯域ULキャリアを、構成されたロケーションにあるフラクショナルRBを含むように、および/または構成されたサイズとなるように構成すればよい。ある例では、通信コンポーネント340は、フラクショナルRBを、干渉管理を実施するのに(たとえば、フラクショナルRBにおいて測定された干渉に基づいて、ULキャリアを介して送信または受信された1つまたは複数の干渉する信号を判定するのに)使うことができる。
【００５９】
別の例では、ブロック406においてアップリンクチャネルラスタを判定する際、任意選択で、ブロック416において、アップリンクチャネルラスタ中のアップリンクキャリアが、レガシーアップリンクキャリアのガード帯域の部分を含むと判定され得る。ある態様では、通信コンポーネント340が、たとえば、プロセッサ305、メモリ302、および/またはトランシーバ370とともに、アップリンクチャネルラスタ中のアップリンクキャリアを、レガシーアップリンクキャリアのガード帯域の部分を含むと判定し得る。たとえば、レガシーULキャリアは、低レイテンシ通信技術用に定義されるものよりも多いガード帯域を使い得る。したがって、通信コンポーネント340は、低レイテンシ通信技術におけるアップリンクキャリア用のガード帯域の少なくとも一部分を使用することができる。ある具体例では、LTEは、ULキャリアの10%ガード帯域、すなわち各端部において5%(たとえば、20MHzキャリアの各端部において1MHz)を使い得る。5G NRは、一例では200〜300kHzに等しい、2〜3%など、より小さいガード帯域を使い得る。したがって、通信コンポーネント340は、5G NRにおけるULキャリアを構成する際、5G NR ULキャリアがアライメントされる、LTE ULキャリアの各端部における約3〜4RBなど、通常はLTEにおけるガード帯域用に予約される追加RBを使うことができる。
【００６０】
ブロック418において、UEは、アップリンクチャネルを介してアップリンク通信を送信し得る。ある態様では、通信コンポーネント340が、たとえば、プロセッサ305、メモリ302、および/またはトランシーバ370とともに、アップリンクチャネルを介してアップリンク通信を(たとえば、基地局105に)送信し得る。たとえば、通信コンポーネント340は、アップリンクチャネルラスタ(たとえば、広帯域ULキャリア、レガシーガード帯域の少なくとも一部分を使うULキャリアなどを含み得る)に基づいて判定されたアップリンクチャネルを介してアップリンク通信を送信し得る。
【００６１】
ある例では、ブロック418においてアップリンク通信を送信する際、任意選択で、ブロック420において、制御シグナリングが、アップリンクチャネルを介して送信されてよく、データが、レガシー通信技術と重複しない別のアップリンクチャネルを介して送信されてよい。ある態様では、通信コンポーネント340は、たとえば、プロセッサ305、メモリ302、および/またはトランシーバ370とともに、アップリンクチャネルを介して制御シグナリングを、およびレガシー通信技術と重複しない別のアップリンクチャネルを介してデータを送信し得る。たとえば、ULチャネルは、レガシー通信技術、たとえば、LTEと共存するULキャリアを介してよく、したがって、より効率的なリソース使用およびリンクバジェットを有し得る。したがって、このULチャネルは、レイヤ1制御、レイヤ2制御(たとえば、RLC状況PDU)、レイヤ3制御(たとえば、RRCシグナリング)などのような、より重要な情報を搬送することができる。別のアップリンクチャネルは、レガシー通信技術と共存しないULキャリアを介してよく、データ(たとえば、TDDチャネル相反ベースの展開のためのサウンディング基準信号(SRS)データ)など、より重要でない情報を送信するのに使われ得る。
【００６２】
図5は、ULおよび/またはDLチャネルラスタを判定するための構成パラメータを(たとえば、基地局によって)送信するための方法500の例のフローチャートを示す。
【００６３】
方法500では、ブロック502において、アップリンクチャネルラスタに関連した1つまたは複数のパラメータが送信され得る。ある態様では、構成コンポーネント240が、たとえば、プロセッサ205、メモリ202、および/またはトランシーバ270とともに、アップリンクチャネルラスタに関連した1つまたは複数のパラメータを(たとえば、UE115に)送信することができる。たとえば、1つまたは複数のパラメータは、ブロードキャストシグナリング(たとえば、SIブロードキャスト)、専用シグナリング(たとえば、RRCシグナリング)などを使って送信され得る。
【００６４】
ある例では、ブロック502において1つまたは複数のパラメータを送信する際、任意選択で、ブロック504において、アップリンクチャネルラスタ用の周波数ロケーションの指示が送信され得る。ある態様では、構成コンポーネント240が、たとえば、プロセッサ205、メモリ202、および/またはトランシーバ270とともに、アップリンクチャネルラスタ用の周波数ロケーション(たとえば、チャネル番号)の指示を送信することができる。記載されるように、一例では、チャネル番号は、DLチャネルラスタ用に示されるチャネル番号とは異なり得る。その上、たとえば、構成コンポーネント240は、上述したように、低レイテンシ通信技術のみ、それとも低レイテンシ通信技術およびレガシー通信技術を使って通信するためにUE115が構成されるかに基づいて、周波数ロケーションを送信するための異なる機構を使用することができる。
【００６５】
ある例では、ブロック502において1つまたは複数のパラメータを送信する際、任意選択で、ブロック506において、アップリンクチャネルラスタ中の広帯域アップリンクキャリアの中に挿入するべきフラクショナルRBの指示が送信され得る。ある態様では、構成コンポーネント240が、たとえば、プロセッサ205、メモリ202、および/またはトランシーバ270とともに、アップリンクチャネルラスタ中の広帯域アップリンクキャリアに挿入するべきフラクショナルRBの指示を(たとえば、UE115に)送信することができる。たとえば、指示は、フラクショナルRBの、周波数内でのロケーションおよび/またはサイズに対応し得る。記載されるように、たとえば、UE115は、ULキャリアを構成する際、構成に基づいてフラクショナルRBを挿入することができる。ある例では、基地局105は、フラクショナルRBを、干渉管理を実施するのに(たとえば、フラクショナルRBにおいて測定された干渉に基づいて、ULキャリアを介して受信された1つまたは複数の干渉する信号を判定するのに)使うことができる。
【００６６】
方法500では、ブロック508において、アップリンクチャネルラスタに基づいて、アップリンクチャネルを介してアップリンク通信が受信され得る。ある態様では、トランシーバ270は、たとえば、プロセッサ205および/またはメモリ202とともに、ULチャネルラスタに基づいて、ULチャネルを介してアップリンク通信を(たとえば、UE115から)受信し得る。ある例では、トランシーバ270は、UE115から信号が受信されるULチャネルラスタに沿って周波数ロケーションを検出することによって、ULチャネルラスタに基づいてULチャネルを判定することができる。
【００６７】
図6は、基地局105およびUE115を含むMIMO通信システム600のブロック図である。MIMO通信システム600は、図1を参照して説明されたワイヤレス通信システム100の態様を示し得る。基地局105は、図1、図2、および図3を参照して説明された基地局105の態様の例であり得る。基地局105はアンテナ634および635を備えることがあり、UE115はアンテナ652および653を備えることがある。MIMO通信システム600では、基地局105は、複数の通信リンクを通じて同時にデータを送信することが可能であり得る。各通信リンクは、「レイヤ」と呼ばれることがあり、通信リンクの「ランク」は、通信のために使用されるレイヤの数を示し得る。たとえば、基地局105が2つの「レイヤ」を送信する2×2MIMO通信システムでは、基地局105とUE115との間の通信リンクのランクは2である。
【００６８】
基地局105において、送信(Tx)プロセッサ620がデータソースからデータを受信し得る。送信プロセッサ620は、データを処理し得る。送信プロセッサ620は、制御シンボルまたは基準シンボルを生成することもできる。送信MIMOプロセッサ630は、適用可能な場合、データシンボル、制御シンボル、または参照シンボルに対して空間処理(たとえば、プリコーディング)を実施することができ、送信変調器/復調器632および633に出力シンボルストリームを提供することができる。各変調器/復調器632〜633は、(たとえば、OFDMなどのための)それぞれの出力シンボルストリームを処理して、出力サンプルストリームを取得することができる。各変調器/復調器632〜633はさらに、出力サンプルストリームを処理して(たとえば、アナログに変換し、増幅し、フィルタリングし、アップコンバートして)、DL信号を取得し得る。一例では、変調器/復調器632および633からのDL信号は、それぞれ、アンテナ634および635介して送信され得る。
【００６９】
UE115は、図1、図2および図3を参照して説明したUE115の態様の例であってよい。UE115において、UEアンテナ652および653は、基地局105からDL信号を受信することができ、それぞれ、変調器/復調器654および655に受信された信号を提供することができる。各変調器/復調器654〜655は、入力サンプルを取得するために、それぞれの受信された信号を調整する(たとえば、フィルタリングし、増幅し、ダウンコンバートし、デジタル化する)ことができる。各変調器/復調器654〜655は、受信されたシンボルを取得するために、(たとえばOFDMなどのために)入力サンプルをさらに処理することができる。MIMO検出器656は、変調器/復調器654および655から受信されたシンボルを取得し、適用可能な場合は受信されたシンボルに対してMIMO検出を実施し、検出されたシンボルを与えることができる。受信(Rx)プロセッサ658が、検出されたシンボルを処理し(たとえば、復調し、デインターリーブし、および復号し)、UE115のための復号されたデータをデータ出力に与えてよく、復号された制御情報をプロセッサ680、またはメモリ682に与える。
【００７０】
プロセッサ680は、いくつかのケースでは、通信コンポーネント340(たとえば、図1および図3参照)をインスタンス化するための、記憶された命令を実行し得る。
【００７１】
アップリンク(UL)上で、UE115において、送信プロセッサ664が、データソースからデータを受信し、処理し得る。送信プロセッサ664はまた、参照信号のための参照シンボルを生成し得る。送信プロセッサ664からのシンボルは、適用可能な場合、送信MIMOプロセッサ666によってプリコーディングされ、変調器/復調器654および655によって(たとえば、SC-FDMAなどのために)さらに処理され、基地局105から受信された通信パラメータに従って基地局105に送信され得る。基地局105において、UE115からのUL信号がアンテナ634および635によって受信され、変調器/復調器632および633によって処理され、適用可能な場合、MIMO検出器636によって検出され、受信プロセッサ638によってさらに処理され得る。受信プロセッサ638は、復号されたデータをデータ出力およびプロセッサ640またはメモリ642に与えることができる。
【００７２】
プロセッサ640は、いくつかのケースでは、構成コンポーネント240(たとえば、図1および図2参照)をインスタンス化するための、記憶された命令を実行し得る。
【００７３】
UE115のコンポーネントは、適用可能な機能の一部または全部をハードウェアで実施するように適応された1つまたは複数のASICを用いて、個々にまたはまとめて実装され得る。言及したモジュールの各々は、MIMO通信システム600の動作に関係する1つまたは複数の機能を実施するための手段であり得る。同様に、基地局105のコンポーネントは、個別にまたは集合的に、適用可能な機能の一部またはすべてをハードウェアで実施するように適合された1つまたは複数のASICを用いて実装され得る。言及したコンポーネントの各々は、MIMO通信システム600の動作に関係する1つまたは複数の機能を実施するための手段であり得る。
【００７４】
添付の図面に関して上記に記載した詳細な説明は、例について説明しており、実装され得る、または特許請求の範囲の範囲内に入る例のみを表すものではない。「例」という用語は、本明細書で使用されるとき、「例、事例、または例示として働く」ことを意味し、「好ましい」または「他の例よりも有利な」を意味しない。この詳細な説明は、説明した技法の理解を可能にする目的で、具体的な詳細を含む。しかしながら、これらの技法は、これらの具体的な詳細を伴うことなく実践され得る。いくつかの事例では、説明した例の概念を不明瞭にすることを回避するために、よく知られている構造および装置がブロック図の形態で示される。
【００７５】
情報および信号は、様々な異なる技術および技法のうちのいずれかを使用して表される場合がある。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【００７６】
本開示に関して説明した様々な例示的なブロックおよびコンポーネントは、限定はしないが、プロセッサ、デジタル信号プロセッサ(DSP)、ASIC、FPGAもしくは他のプログラマブル論理デバイス、個別ゲートもしくはトランジスタ論理、個別ハードウェアコンポーネントなどの特別にプログラムされたデバイス、または本明細書で説明した機能を実施するように設計されたそれらの任意の組合せを用いて実装または実施され得る。特別にプログラムされたプロセッサは、マイクロプロセッサであってよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【００７７】
本明細書で説明した機能は、ハードウェア、プロセッサによって実行されるソフトウェア、ファームウェア、またはそれらの組合せで実装され得る。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して送信され得る。他の例および実装形態は、本開示および特許請求の範囲の範囲および趣旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置されてもよい。また、特許請求の範囲を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【００７８】
コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用のコンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備え得る。また、どのような接続もコンピュータ可読媒体と呼ばれるのにふさわしい。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザーディスク(登録商標)(disc)、光ディスク(disc)、デジタル多用途ディスク(disc)(DVD)、フロッピーディスク(disk)、およびBlu-ray(登録商標)ディスク(disc)を含み、ここで、ディスク(disk)は、通常、データを磁気的に再生し、ディスク(disc)は、レーザーを用いてデータを光学的に再生する。上記の組合せも、コンピュータ可読媒体の範囲内に含まれる。
【００７９】
本開示の先の説明は、当業者が本開示を作成または使用することを可能にするために与えられる。本開示に対する様々な変更が、当業者には容易に明らかになり、本明細書において規定される一般原理は、本開示の趣旨または範囲を逸脱することなく、他の変形形態に適用され得る。さらに、説明した態様および/または実施形態の要素は、単数形で説明または特許請求されている場合があるが、単数形への限定が明示的に述べられていない限り、複数形が企図される。加えて、特に明記しない限り、任意の態様および/または実施形態のすべてまたは一部は、任意の他の態様および/または実施形態のすべてまたは一部とともに利用され得る。したがって、本開示は、本明細書で説明した例および設計に限定されるべきではなく、本明細書で開示した原理および新規の特徴と一貫する最も広い範囲を与えられるべきである。
【符号の説明】
【００８０】
100  ワイヤレス通信システム
105  基地局
115  UE
125  通信リンク
130  コアネットワーク
132  バックホールリンク
134  バックホールリンク
202  メモリ
205  プロセッサ
210  ネットワーク
211  バス
220  モデム
240  構成コンポーネント
270  トランシーバ
273  アンテナ
275  送信機(TX)無線
280  受信機(RX)無線
290  無線周波数(RF)フロントエンド
291  低雑音増幅器
292  スイッチ
293  フィルタ
294  電力増幅器(PA)
302  メモリ
305  プロセッサ
320  モデム
340  通信コンポーネント
342  ULチャネルラスタコンポーネント
344  DLチャネルラスタコンポーネント
346  構成受信コンポーネント
370  トランシーバ
373  アンテナ
375  送信機(TX)無線
380  受信機(RX)無線
390  RFフロントエンド
391  LNA
392  スイッチ
393  フィルタ
394  PA
600  MIMO通信システム
620  送信(Tx)プロセッサ
630  送信MIMOプロセッサ
632  送信変調器/復調器、変調器/復調器
633  送信変調器/復調器、変調器/復調器
634  アンテナ
635  アンテナ
636  MIMO検出器
638  受信プロセッサ
640  プロセッサ
642  メモリ
652  アンテナ、UEアンテナ
653  アンテナ、UEアンテナ
654  変調器/復調器
655  変調器/復調器
656  MIMO検出器
658  受信(Rx)プロセッサ
664  送信プロセッサ
666  送信MIMOプロセッサ
680  プロセッサ
682  メモリ
【図１】
0006801120.tif 000002
【図２】
0006801120.tif 000003
【図３】
0006801120.tif 000004
【図４】
0006801120.tif 000005
【図５】
0006801120.tif 000006
【図６】
0006801120.tif 000007
【図７】
0006801120.tif 000008